(57)【特許請求の範囲】
【請求項１】
貯蔵室の内部に光を照射するランプアセンブリと、
前記貯蔵室の内部の一側に装着され、一側に前記ランプアセンブリが設けられるベースプレートと、
前記ランプアセンブリを取り囲むように形成され、前記ランプアセンブリの内側に水が直接的に浸透することを遮断する防水カバーと、
前記ベースプレートの一側において前記防水カバーと凹凸構造をなすように、前記防水カバーを取り囲む形状に形成される締付部と、を備え、
前記締付部は、
前記ベースプレートの上面において、前記防水カバーの外面に沿って前記防水カバーの下端部の外側の全体を取り囲むように突設される第１のリブと、
前記防水カバーの内面に沿って前記防水カバーの下端部の内側の全体を取り囲むように突設される第２のリブと、
前記第１のリブと第２のリブを貫通して形成される排水ホールと、
を備え、
前記防水カバーの一側には、前記排水ホールと対応する位置と形状で穿孔形成され、前記ランプアセンブリの内側の湿気を外部に案内する排水孔がさらに形成される、
ことを特徴とする冷蔵庫の照明装置。
【請求項２】
前記ベースプレートの上面には、
前記第２のリブの内側に、凹凸構造を通過した湿気が凝集される排水リブがさらに設けられる、ことを特徴とする請求項１に記載の冷蔵庫の照明装置。
【請求項３】
前記排水リブは、
前記第２のリブの内側に沿って一定の間隔で離隔され、上方に突設される、ことを特徴とする請求項２に記載の冷蔵庫の照明装置。
【請求項４】
前記ランプアセンブリは、
電力を供給され、光を照射するランプと、
前記貯蔵室を選択的に遮蔽するドアのドアライナの一側に装着され、前記ランプが後方から前方に挟着され、一定の位置に配置されるランプ装着部と、
前記ランプ装着部の一側に設けられ、前記ランプから発散する光を反射する反射板と、
前記ランプ装着部を取り囲む形状に形成され、前記ランプ装着部と締め付けられるランプカバーと、を備える、
ことを特徴とする請求項１に記載の冷蔵庫の照明装置。
【請求項５】
前記ランプは、
発光回路が内蔵された基板と、
前記基板に装着され、発光回路により、光を発する多数個の発光ダイオードで構成される、
ことを特徴とする請求項４に記載の冷蔵庫の照明装置。
【請求項６】
前記ランプ装着部は、
底面を形成する前記ベースプレートと、
前記ベースプレートの一側に形成され、前記発光ダイオードの大きさと対応する大きさを有して穿孔形成され、前記発光ダイオードが挿入される空間を提供するダイオードホルダと、
前記ダイオードホルダの後側から上方に突設され、前記ランプの前方の引込位置を案内する前方案内突起と、を備える、
ことを特徴とする請求項５に記載の冷蔵庫の照明装置。
【請求項７】
前記反射板は、
前記ベースプレートの上面から前方に行くほど高さが増大する多段形状に形成され、段と段を連結する面は、前方上側に向かって傾きを有して形成される、
ことを特徴とする請求項４に記載の冷蔵庫の照明装置。
【請求項８】
前記ランプカバーは、
一部分が透明な材質で形成され、前記ランプから照射される光を前記貯蔵室の内側に投光させ、内面の一側に下方へ突設され、前記基板を固定させる固定リブがさらに形成される、
ことを特徴とする請求項７に記載の冷蔵庫の照明装置。
【請求項９】
前記固定リブは、
前記ダイオードホルダの後側に形成され、前記ランプの前方の引込を防止する前方固定リブと、
前記前方固定リブと前記基板の厚さだけ離隔された位置に形成され、前記ランプの後方への離脱を防止する後方固定リブと、を備える、
ことを特徴とする、請求項８に記載の冷蔵庫の照明装置。
【請求項１０】
前記貯蔵室の内側面には、前記ランプアセンブリから照射される可視光線を反射する反射層が塗布されて形成される、ことを特徴とする請求項１に記載の冷蔵庫の照明装置。
【請求項１１】
前記貯蔵室を遮蔽する冷蔵庫のドアの内側面には、光を反射する材料で塗布され、前記照射装置から照射される可視光線を反射させるドア反射層がさらに形成される、ことを特徴とする請求項１に記載の冷蔵庫の照明装置。
【請求項１２】
冷蔵庫が、外観をなし、内部に貯蔵物が貯蔵される貯蔵室が一側に開口されるように設けられた本体と、前記貯蔵室の開口部を選択的に遮蔽するドアと、を有していて、
前記ランプアセンブリは前記ドアの裏面に装着され、多数のランプが前記貯蔵室の内部の異なる方向に光を照射するように設けられており、
前記本体の一側には、前記多数のランプの電力回路と連結され、前記ランプを個別に制御する操作パネルが装着されている、
ことを特徴とする、請求項１に記載の冷蔵庫の照明装置。
【請求項１３】
前記ランプは、
前記ランプアセンブリの中央を基準にして、互いに反対方向に向かうように装着される、
ことを特徴とする、請求項１２に記載の冷蔵庫の照明装置。
【請求項１４】
前記ランプは、
前記貯蔵室の前方に向かうように装着される第１のランプと、
前記貯蔵室の後方に向かうように装着される第２のランプと、を備える、
ことを特徴とする、請求項１３に記載の冷蔵庫の照明装置。
【請求項１５】
前記操作パネルには、前記ランプと一対一に対応するボタンが設けられ、前記ランプが個別に制御される、ことを特徴とする請求項１４に記載の冷蔵庫の照明装置。
【請求項１６】
前記ボタンは、
前記第１のランプの電力回路と連結され、前記第１のランプの点灯を制御する第１のボタンと、
前記第２のランプの電力回路と連結され、前記第２のランプの点灯を制御する第２のボタンと、を含む、
ことを特徴とする請求項１５に記載の冷蔵庫の照明装置。
【請求項１７】
前記第１のボタンと第２のボタンは、奇数回押圧するときに前記ランプが点灯され、偶数回押圧するときに前記ランプが消灯されるプッシュボタンである、
ことを特徴とする、請求項１６に記載の冷蔵庫の照明装置。
【請求項１８】
前記貯蔵室の内部の一側に、前記貯蔵室の内部に貯蔵物の収納の有無を感知する貯蔵物感知手段が、備えられ、
前記ランプアセンブリに装着された多数個のランプは、前記貯蔵物感知手段とそれぞれ連結され、前記貯蔵物の収納が感知されたランプのみが点灯される、
ことを特徴とする請求項１２に記載の冷蔵庫の照明装置。
【請求項１９】
前記ランプと貯蔵物感知手段は、前記貯蔵室の底面中央を基準にして同一の方向に取り付けられ、それぞれ連結されて作動するように配置される、
ことを特徴とする請求項１８に記載の冷蔵庫の照明装置。
【請求項２０】
前記貯蔵物感知手段は、前記貯蔵物により動作されるスイッチである、
ことを特徴とする請求項１９に記載の冷蔵庫の照明装置。
【請求項２１】
前記スイッチは、前記貯蔵室の底面において、中央を基準にして左右側にそれぞれ設けられ、貯蔵物の荷重により押され、荷重が解放されると、元に戻すように、内部に弾性部材が設けられる、
ことを特徴とする請求項２０に記載の冷蔵庫の照明装置。
【請求項２２】
前記貯蔵物感知手段は、前記貯蔵物の収納の有無を感知するセンサである、
ことを特徴とする、請求項２１に記載の冷蔵庫の照明装置。
【請求項２３】
前記センサは、前記貯蔵室の底面に装着され、前記貯蔵物の荷重を感知する圧力センサである、
ことを特徴とする請求項２２に記載の冷蔵庫の照明装置。
【請求項２４】
前記センサは、前記貯蔵室の側面に形成され、前記貯蔵物の位置を感知する近接センサである、
ことを特徴とする請求項２２に記載の冷蔵庫の照明装置。
【請求項２５】
さらに、
飲食物の種類および冷蔵／冷凍方式を選択し入力する入力および表示部と、  
前記選択された飲食物の種類および冷蔵方式に応じて、前記飲食物に予め設定された照度以上の光を照射するように、前記ランプアセンブリの駆動を制御する制御部と、  
を備える、
ことを特徴とする請求項１２に記載の冷蔵庫の照明装置。
【請求項２６】
前記ランプアセンブリは、
前記入力および表示部を通じて選択された飲食物の種類および冷蔵方式に応じて、固有の照度で異なる色相の光を照射する二つ以上の有色ランプと、
前記飲食物の冷蔵方式にかかわらず、照度を高めるために白色の光を照射する一つ以上の白色ランプと、を含み、
前記制御部は、前記ランプに供給される駆動電力を断続するスイッチング部を含む、
ことを特徴とする請求項２５に記載の冷蔵庫の照明装置。
【請求項２７】
請求項１２から２６のいずれか一項に記載の冷蔵庫の照明装置の制御方法であって、
冷蔵庫のドアの開閉を感知するステップと、
前記冷蔵庫のドアが開放された時に、ランプ駆動を変更するステップと、
を含む、
ことを特徴とする、冷蔵庫の照明装置の制御方法。
【請求項２８】
前記冷蔵庫のドアの開放時、ランプ駆動を中止する、ことを特徴とする請求項２７に記載の冷蔵庫の照明装置の制御方法。
【請求項２９】
前記冷蔵庫のドアの開放時、前記ランプから照射される光の強さを徐々に減少させることを特徴とする、請求項２７に記載の冷蔵庫の照明装置の制御方法。
【請求項３０】
前記冷蔵庫のドアの開放時、ランプ毎に光の強さが相違して提供されることを特徴とする、請求項２９に記載の冷蔵庫の照明装置の制御方法。
【発明の詳細な説明】
【技術分野】
【０００１】
本発明は、冷蔵庫に関し、より詳しくは、冷蔵庫の内部を形成する貯蔵室を照明し、ドアの開放に応じてランプをオン／オフさせる冷蔵庫の照明装置およびそれを用いた制御方法に関する。
【背景技術】
【０００２】
一般に、冷蔵庫は、飲食物の低温貯蔵を目的として製作されたものであり、冷凍サイクルを構成する多数の電装部品と作動流体の循環により、冷蔵庫の内部の貯蔵空間を冷却できるように構成される。
【０００３】
このような冷蔵庫は、生活環境の変化により、大型化、多機能化はもとより、構造の多様化を有する趨勢にあり、これにより、キムチ冷蔵庫を始め多様な冷蔵庫が開発されている。
【０００４】
そして、最近、貯蔵空間の内部に保管された保管物に多様な色相の光を照射し、製品の新鮮度を高める技術が開発され適用されており、このように貯蔵空間の内部に多様な色相の光を照射するために、いわゆる、ＬＥＤ（Ｌｉｇｈｔｉｎｇ  Ｅｍｉｔｔｉｎｇ  Ｄｉｏｄ）と呼ばれる発光ダイオードが多用されている。
【０００５】
以下、説明と理解の便宜を図るために、蓋式キムチ冷蔵庫を挙げて説明するが、本発明は、冷蔵庫の形態にかかわらず、多様に適用可能なことは、言うまでもない。
【０００６】
一般の蓋式キムチ冷蔵庫は、キムチ等の貯蔵物を収納するために、上側に開放された貯蔵室が設けられた本体と、本体の開放部の一側にヒンジにより回転可能に装着され、貯蔵室を選択的に遮蔽するドアと、ドアの下面に装着され、貯蔵室の内部に光を照射するランプアセンブリとで構成される。
【０００７】
しかしながら、このような構成を有する従来の技術によるキムチ冷蔵庫には、以下のような問題点があった。
【０００８】
ランプアセンブリは、ドアの下面に、その装着位置が設けられ、貯蔵室の内部に飲食物を収納するとき、使用者の不注意により、水分が直接的に浸透するという問題点があった。このように、ランプアセンブリに水分が流入すると、内部に設けられたランプや電源素子が水と接触し、製品が破損し、使用者に傷害等の事故が発生するという問題点があった。
【０００９】
また、ランプアセンブリは、貯蔵室を持続的に点灯し、または貯蔵室の使用範囲にかかわらず、全体的に点灯することがある。したがって、ランプアセンブリにより不要な電力を消耗するという問題点もあった。
【発明の開示】
【発明が解決しようとする課題】
【００１０】
本発明は、前述の問題点に鑑みてなされたものであり、ランプアセンブリに浸み込む水分を遮断する機能を有する冷蔵庫の照明装置およびそれを用いた制御方法を提供することを目的とする。
【００１１】
また、冷蔵庫の貯蔵室を照明するときに消耗される電力を最小化することができる冷蔵庫の照明装置およびそれを用いた制御方法を提供することを他の目的とする。
【課題を解決するための手段】
【００１２】
上記の目的を達成するため、本発明による冷蔵庫の照明装置は、冷蔵庫の貯蔵室の内部に光を照射するランプアセンブリと、貯蔵室の内部の一側に装着され、一側にランプアセンブリが設けられるベースプレートと、ランプアセンブリを取り囲むように形成され、ランプアセンブリの内側に水が直接的に浸透することを遮断する防水カバーと、ベースプレートの一側において防水カバーと凹凸構造をなすように、防水カバーを取り囲む形状に形成される締付部と、を備えることを特徴とする。
【００１３】
また、締付部は、ベースプレートの上面において、防水カバーの外面に沿って防水カバーの下端部の外側の全体を取り囲むように突設される第１のリブと、防水カバーの内面に沿って防水カバーの下端部の内側の全体を取り囲むように突設される第２のリブと、を備えることを特徴とする。
【００１４】
また、ベースプレートの上面には、第２のリブの内側に、凹凸構造を通過した湿気が凝集される排水リブがさらに設けられることを特徴とする。
【００１５】
また、排水リブは、第２のリブの内側に沿って一定の間隔で離隔され、上方に突設されることを特徴とする。
【００１６】
また、締付部には、第１のリブと第２のリブを貫通して形成される排水ホールが形成され、防水カバーの一側には、排水ホールと対応する位置と形状で穿孔形成され、ランプアセンブリの内側の湿気を外部に案内する排水孔がさらに形成されることを特徴とする。
【００１７】
また、ランプアセンブリは、電力を供給され、光を照射するランプと、貯蔵室を選択的に遮蔽するドアのドアライナの一側に装着され、ランプが後方から前方に挟着され、一定の位置に配置されるランプ装着部と、ランプ装着部の一側に設けられ、ランプから発散する光を反射する反射板と、ランプ装着部を取り囲む形状に形成され、ランプ装着部と締め付けられるランプカバーと、を備えることを特徴とする。
【００１８】
また、ランプは、発光回路が内蔵された基板と、基板に装着され、発光回路により、光を発する多数個の発光ダイオードで構成されることを特徴とする。
【００１９】
また、ランプ装着部は、底面を形成するベースプレートと、ベースプレートの一側に形成され、発光ダイオードの大きさと対応する大きさを有して穿孔形成され、発光ダイオードが挿入される空間を提供するダイオードホルダと、ダイオードホルダの後側から上方に突設され、ランプの前方の引込位置を案内する前方案内突起と、を備えることを特徴とする。
【００２０】
また、反射板は、ベースプレートの上面から前方に行くほど高さが増大する多段形状に形成され、段と段を連結する面は、前方上側に向かって傾きを有して形成されることを特徴とする。
【００２１】
また、ランプカバーは、一部分が透明な材質で形成され、ランプから照射される光を貯蔵室の内側に投光させ、内面の一側に下方へ突設され、基板を固定させる固定リブがさらに形成されることを特徴とする。
【００２２】
また、固定リブは、ダイオードホルダの後側に形成され、ランプの前方の引込を防止する前方固定リブと、前方固定リブと基板の厚さだけ離隔された位置に形成され、ランプの後方への離脱を防止する後方固定リブと、を備えることを特徴とする。
【００２３】
また、貯蔵室の内側面には、ランプアセンブリから照射される可視光線を反射する反射層が塗布されて形成されることを特徴とする。
【００２４】
また、貯蔵室を遮蔽する冷蔵庫のドアの内側面には、光を反射する材料で塗布され、照射装置から照射される可視光線を反射させるドア反射層がさらに形成されることを特徴とする。
【００２５】
本発明による冷蔵庫の照明装置は、外観をなし、内部に貯蔵物が貯蔵される貯蔵室が一側に開口されるように設けられた本体と、貯蔵室の開口部を選択的に遮蔽するドアと、ドアの下面に装着され、貯蔵室の内部に光を照射するように、多数のランプが異なる方向に向かうように設けられたランプアセンブリと、本体の一側に装着され、ランプの電力回路と連結され、ランプを個別に制御する操作パネルと、を備えることを特徴とする。
【００２６】
また、ランプは、ランプアセンブリの中央を基準にして、互いに反対方向に向かうように装着されることを特徴とする。
【００２７】
また、ランプは、貯蔵室の前方に向かうように装着される第１のランプと、貯蔵室の後方に向かうように装着される第２のランプと、を備えることを特徴とする。
【００２８】
また、操作パネルには、ランプと一対一に対応するボタンが設けられ、ランプを個別に制御することを特徴とする。
【００２９】
また、ボタンは、第１のランプの電力回路と連結され、第１のランプの点灯を制御する第１のボタンと、第２のランプの電力回路と連結され、第２のランプの点灯を制御する第２のボタンと、を備えることを特徴とする。
【００３０】
また、第１のボタンと第２のボタンは、奇数回押圧するときにランプが点灯され、偶数回押圧するときにランプが点滅（→消灯？）されるプッシュボタンであることを特徴とする。
【００３１】
本発明による冷蔵庫の照明装置は、外観をなし、内部に貯蔵物が貯蔵される貯蔵室が一側に開口されるように設けられた本体と、貯蔵室の開口部を選択的に遮蔽するドアと、ドアの下面に装着され、貯蔵室の内部に光を照射するように、多数個のランプが異なる方向に向かうように設けられたランプアセンブリと、貯蔵室の内部の一側に装着され、貯蔵室の内部に貯蔵物の収納の有無を感知する貯蔵物感知手段と、を備え、ランプアセンブリに装着された多数個のランプは、貯蔵物感知手段とそれぞれ連結され、貯蔵物の収納が感知されたランプのみが点灯されることを特徴とする。
【００３２】
また、ランプと貯蔵物感知手段は、貯蔵室の底面中央を基準にして同一の方向に取り付けられ、それぞれ連結されて作動するように配置されることを特徴とする。
【００３３】
また、貯蔵物感知手段は、貯蔵物により動作されるスイッチであることを特徴とする。
【００３４】
また、スイッチは、貯蔵室の底面において、中央を基準にして左右側にそれぞれ設けられ、貯蔵物の荷重により押され、荷重が解放されると、元に戻すように、内部に弾性部材が設けられることを特徴とする。
【００３５】
また、貯蔵物感知手段は、貯蔵物の収納の有無を感知するセンサであることを特徴とする。
【００３６】
また、センサは、貯蔵室の底面に装着され、貯蔵物の荷重を感知する圧力センサであることを特徴とする。
【００３７】
また、センサは、貯蔵室の側面に形成され、貯蔵物の位置を感知する近接センサであることを特徴とする。
【００３８】
本発明による冷蔵庫の照明装置の制御方法は、冷蔵庫のドアの開閉感知ステップと、前記冷蔵庫のドアの開放時、ランプ駆動を中止するステップと、を含むことを特徴とする。
【００３９】
本発明による冷蔵庫の照明装置の制御方法は、冷蔵庫のドアの開閉感知ステップと、冷蔵庫のドアが開放されると、ランプから照射される光の強さを徐々に減少させるステップと、を含むことを特徴とする。
【００４０】
また、冷蔵庫のドアの開放時、ランプ毎に光の強さが相違して提供されることを特徴とする。
【００４１】
本発明による冷蔵庫の照明装置の制御装置は、飲食物の種類および冷蔵／冷凍方式を選択し入力する入力および表示部と、飲食物に異なる色相の光を照射するランプアセンブリと、選択された飲食物の種類および冷蔵方式に応じて、飲食物に予め設定された照度以上の光を照射するように、ランプアセンブリの駆動を制御する制御部と、を備えることを特徴とする。
【００４２】
また、ランプアセンブリは、入力および表示部を通じて選択された飲食物の種類および冷蔵方式に応じて、固有の照度で異なる色相の光を照射する二つ以上の有色ランプと、飲食物の冷蔵方式にかかわらず、照度を高めるために白色の光を照射する一つ以上の白色ランプと、制御部の制御により、ランプに供給される駆動電力を断続するスイッチング部と、をさらに備えることを特徴とする。
【００４３】
本発明の前記およびほかの目的、特徴および利点は添付図面を参考する以下の詳細な説明からより明らかになるであろう。
【発明を実施するための最良の形態】
【００４４】
図１は、本発明に係る冷蔵庫用ランプアセンブリが採用された冷蔵庫の外観を示す斜視図である。
【００４５】
図１に示すように、本発明に係るキムチ冷蔵庫は、上面の外観を形成し、キムチ等の貯蔵物を収納するために、上側に開放された貯蔵室６００が設けられた本体１００と、本体１００の開放部の一側にヒンジ１２０により回転可能に装着され、貯蔵室６００を選択的に遮蔽し、裏面にドアライナ２２０が形成されるドア２００と、ドア２００の下側に装着され、貯蔵室６００の内部に光を照射するランプアセンブリ３００と、本体１００の前面中央の上側に形成され、ランプアセンブリ３００を制御する操作パネル５００とで構成される。
【００４６】
先ず、本発明に係る冷蔵庫用ランプアセンブリの第１の実施例について説明する。
【００４７】
図２は、本発明に係る冷蔵庫の照明装置の主要構成要素であるランプアセンブリの構造を示す分解斜視図であり、図３は、本発明の実施例を構成する防水カバーの外観を示す斜視図であり、図４は、本発明の実施例を構成する防水カバーの装着状態を示す断面図であり、図５は、本発明による冷蔵庫の照明装置の主要構成要素であるランプアセンブリの部分切開斜視図である。
【００４８】
これらに図示するように、ランプアセンブリ３００は、ドア２００のドアライナ２２０に装着されるランプ装着部３６０と、ランプ装着部３６０の一側に装着され、電力を供給されて光を照射するランプ３４０と、ランプ３４０の上面を遮蔽し、ランプ３４０を外部の湿気から保護し、ランプ装着部３６０と締め付けられるランプカバー３７０とで構成される。
【００４９】
ランプ３４０は、白色、青色、黄色を発する多数個の発光ダイオード３４２と、発光ダイオード３４２が装着される基板３４４とで構成され、後述するランプ装着部３６０およびランプカバー３７０により位置が固定され、安定した光路を形成するようになる。ここで、図６ａを基準として、右側に位置したランプには、図面符号３４０’を付与する。また、以下では、必要に応じて、ランプ３４０、３４０’を第１のランプ３４０と第２のランプ３４０’に分けて説明する。
【００５０】
基板３４４は、発光ダイオード３４４を動作させるための電力回路が図示された印刷回路基板（ＰＣＢ）により、操作パネル５００と電気的に連結される。
【００５１】
ランプ装着部３６０は、底面を形成するベースプレート３２０と、ベースプレート３２０の右側から上方に突設され、発光ダイオード３４２の大きさと対応する大きさを有して穿孔形成され、発光ダイオード３４２が挿入される空間を提供するダイオードホルダ３６２と、前記ダイオードホルダ３６２の右側（図５参照）から上方に突設され、ランプ３４０の前方の引入位置を案内する前方案内突起３６５とで構成される。
【００５２】
また、ランプ装着部３７０の左側、すなわち、ランプ３４０の左側には、発光ダイオード３４２から照射される光を、貯蔵室６００の内部に散乱させる反射板３６４が設けられている。
【００５３】
ベースプレート３２０は、略直方形状であり、外周に沿って上方に突設された周縁が内部を取り囲む形状に形成され、ベースプレート３２０の上面の後側には、図示されてはいないが、ランプカバー３７０の後側端が挿入される挿入溝（図示せず）が、左右側にそれぞれ凹設される。また、ベースプレート３３０の上面の前方には、前後方の長さ方向に一定の部分が穿孔形成されたガイド溝３２２が設けられている。
【００５４】
ダイオードホルダ３６２には、胴体の中央に発光ダイオード３４２と対応する大きさを有するダイオード挿入ホール３６１が穿孔形成され、挿入された発光ダイオード３４２を固定する。また、前方案内突起３６５は、ランプ３４０の基板３４４と接し、発光ダイオード３４２とは接しないように、発光ダイオード３４２の装着位置よりは低い高さで上方に突設される。
【００５５】
反射板３６４は、発光ダイオード３４２から照射される光を、貯蔵室６００の内部に散乱させるものであり、このため、反射板３６４は、左側（図５参照）に行くほど高さが増大する階段状に形成され、各段間を連結する面は、左側上方（図５参照）に向かうように傾斜して形成される。
【００５６】
ガイド溝３２２は、後述する結合具（図５の図面符号３２４）が挿入される部分であり、結合具（図５の図面符号３２４）の幅よりも大きめの幅を有して形成され、下側が上側よりも内側にさらに突出するように段差をもって形成され、結合具（図５の図面符号３２４）が安着される空間を提供するようになる。
【００５７】
一方、ランプカバー３７０は、略直方形の箱状であり、下面が開口され、外側の上端隅部が丸まるように形成され、ベースプレート３２０の上面に安着される。また、ランプカバー３７０は、外側は透明な材質で形成され、中央部分は不透明材質で形成される。また、ランプカバー３７０の内面右側（図５参照）には、下方に突設される固定リブ３８８がさらに形成される。これは、図５に基づいて説明したものであり、図示されていないランプカバー３７０の右側も、ランプカバー３７０の中央を基準に、同一の形状に形成され、以下において、図面に基づいて説明する。
【００５８】
固定リブ３８８は、基板３４４を拘束し、ランプ３４０が左右（図５参照）に遊動することを防止するものであり、基板３４４の前方に形成され、ランプ３４０が左側（図５参照）にこれ以上引き込まれないようにする前方固定リブ３８６と、前方固定リブ３８６と基板３４４の厚さだけ離隔形成され、ランプ３４０が後方に離脱されることを防止する後方固定リブ３８７とで構成される。
【００５９】
また、ランプカバー３７０の左側下端には、フック３８２がさらに形成される。
【００６０】
フック３８２は、ベースプレート３２０に形成されたガイド溝３２２に挿入され、結合具３２４により固定されるものであり、略Ｌ字形のように、下方に延長形成された突起が前方に折り曲げられ、折り曲げられた部分が結合具３２４により拘束されることにより、ランプカバー３７０が、ベースプレート３２０と結合される。
【００６１】
結合具３２４をさらに検討すると、結合具３２４は、ガイド溝３２２に挿入可能に、ガイド溝３２２の幅よりも小さめに形成され、図示されてはいないが、ガイド溝３２２に挿入されて安着可能に、ガイド溝３２２の段差付けられた下端に接触する突起が、結合具３２４の側面の上部に形成される。
【００６２】
また、結合具３２４の上側には、使用者の把持を容易にする結合具ハンドル３２４’が設けられ、結合具ハンドル３２４’の右側（図５参照）には、図示されてはいないが、フック３８２と対応する形状に形成され、係合するフック締付部（図示せず）が形成される。
【００６３】
ランプ３４０の上側には、ランプ３４０を取り囲むように形成され、ベースプレート３２０と締め付けられる透明な材質の防水カバー４００がさらに設けられる。防水カバー４００は、略四角形状の箱が下方に開口され、前面と上面が接する隅部が丸まるように形成される。また、防水カバー４００の側面には、丸まった形状に沿って溝が形成され、防水カバー４００の上面は、後端部が下方に段差をもって段差部４２０を形成する。
【００６４】
段差部４２０は、後述するカバー３４０により押される箇所であり、これにより、防水カバー４００の上方向への脱去が防止される。
【００６５】
また、防水カバー４００の後面には、後述する排水ホール３２６と同一の大きさに形成され、防水カバー４００が締め付けられた後、同一の位置を有するように穿孔形成された排水孔４４０がさらに形成される。
【００６６】
以下では、図面を参照して、防水カバー４００とベースプレート３２０との締付構造を検討する。
【００６７】
ベースプレート３２０には、防水カバー４００が挿入されるように、防水カバー４００の下端部と対応して型合わせする形状の締付部３５０が形成される。
【００６８】
締付部３５０は、防水カバー４００の外面に沿って、防水カバー４００の下端部の外側の全体を取り囲むように形成される第１のリブ３５４と、防水カバー４００の内面に沿って防水カバー４００の下端部の内側の全体を取り囲むように形成される第２のリブ３５６とで構成され、第１のリブ３５４と第２のリブ３５６がなす間隔により中央溝３５２が形成される。
【００６９】
すなわち、第１のリブ３５４と第２のリブ３５６が上方に突設されることにより、第１のリブ３５４と第２のリブ３５６との間には、中央溝３５２が形成され、このような中央溝３５２には、防水カバー４００が挿入される。
【００７０】
また、中央溝３５２は、より堅固に防水カバー４００と型合わせするように、ベースプレート３２０の下方に凹設することが好ましい。
【００７１】
一方、このような形状の締付部３６０と防水カバー４００は、相補的な凹凸構造を形成し、湿気がランプ３４０の内側に直接浸透することを防止する。
【００７２】
また、ランプ３４０の内側には、排水リブ３５７がさらに設けられる。このような排水リブ３５７は、上述した凹凸構造を通過した湿気が凝集して水滴が形成される箇所であり、第２のリブ３５６と間隔を置いて周縁を形成する。したがって、第２のリブ３５６と排水リブ３５７との間には、左／右／上側に所定の空間が形成されるが、このような空間へ排水リブ３５７に凝集した水滴が流れ、下側に誘導される排水流路３５８を形成する。
【００７３】
また、排水流路３５８に沿って下側に移動された水滴は、締付部３５０に形成された排水ホール（図示せず）と、防水カバー４００に形成された排水孔４４０が一致し、外部に排出される通路を形成するようになる。
【００７４】
一方、操作パネル５００の中央を基準にして、左側に設けられた第１のボタン５２０は、左側貯蔵室（図１の図面符号６００’）に光を照射する第１のランプ３４０を制御し、右側に設けられた第２のボタン５４０は、右側貯蔵室（図１の図面符号６００）に光を照射する第２のランプ３４０’を制御するようになる。また、ボタン５２０、５４０は、図示されてはいないが、内部にバネのような弾性部材とフックのような締付具が設けられ、一般に用いられるプッシュボタンのように奇数回押圧したとき、電力回路に電力を供給するように連結され、偶数回押圧したとき、連結が切れ、電力回路に電力供給を中断するように構成される。
【００７５】
ランプ３４０、３４０’は、貯蔵室６００、６００’にそれぞれ光を照射するために、ランプアセンブリ３００の中央を基準にして、互いに反対方向に向かうように装着されなければならない。
【００７６】
また、本体１００の内側面を形成するインナーケースには、反射層１２２が形成される。反射層１２２は、ランプアセンブリ３００から照射される可視光線を反射させ、貯蔵室６００の全体に可視光線が均一に到達するようにする部分である。
【００７７】
また、ドア２００の内側面には、反射層１２２と同一の素材で塗布またはコーティング処理されて形成されるドア反射層２４０が形成される。ドア反射層２４０は、ランプアセンブリ３００から照射される可視光線が反射層１２２により反射され、ドア２００に向かうとき、可視光線をさらに反射させ、貯蔵室６００に向かうようにするものであり、貯蔵室６００により多くの可視光線が照射されるようにする役割をする。
【００７８】
以下、本発明の第１の実施例の作用について詳述する。
【００７９】
冷蔵庫のドアの下面２２０に装着されたランプアセンブリ３００は、内部にランプ３４０が収納され、貯蔵室６００の内部に光を照射するようになる。したがって、ドアの回動にも揺れることなく、安定した光路を維持するように、ランプ３４０が固定装着されていなければならない。
【００８０】
このような理由により、ランプ３４０をベースプレート３２０に固定させるようになるが、この際、発光ダイオード３４２をランプ装着部３６０に後方から前方に挿入させて固定させる。すなわち、発光ダイオード３４２と対応する大きさに穿孔形成されたダイオード挿入ホール３６１に、発光ダイオード３４２を、基板３４４が前方案内突起３６５に接触するまで挿入させることにより、ダイオードホルダ３６２により、発光ダイオード３４２の装着位置が固定される。
【００８１】
このように発光ダイオード３４２がダイオードホルダ３６２に挿入されると、ランプカバー３７０でランプ３４０の上方を遮蔽させる。この際、ランプカバー３７０の内側から下方に突設された固定リブ３８８により、発光ダイオード３４２と連結された基板３４４が固定され、これにより、ランプ３４０は、ベースプレート３２０の内側において一定の位置に装着され、安定した光路を維持するようになる。
【００８２】
一方、このようにランプ３４０、すなわち、発光ダイオード３４２が安定した光路を維持して照射する光は、反射板３６４により、貯蔵室６００の内側にランプカバー３７０を通過して散乱される。
【００８３】
ランプ装着部３６０へのランプ３４０の装着が終わると、ランプ装着部３６０の上方は、ランプカバー３７０により遮蔽され、外部の湿気から内部に収納されたランプ３４０を保護する。また、前述のように、ランプカバー３７０は、外側の一部分が投光性に優れた材質で形成され、ランプ３４０から照射される光を容易に貯蔵室６００の内側に投光させるようになる。
【００８４】
また、ランプ装着部３６０は、ベースプレート３２０に装着される。
【００８５】
これをさらに詳述すると、ランプカバー３７０の後側端をベースプレート３２０の後側に形成された挿入溝（図示せず）に挿入させた後、前端部を下方に降り、ベースプレート３２０の前部に形成されたガイド溝３２２にフック３８２を挿入するようになる。
【００８６】
また、結合具ハンドル３２３を前方に移動させると、結合具３２４が前方に移動しながら、フック３８２とフック締付部（図示せず）が締め付けられ、ランプカバー３７０の前部が固定されながら、ランプカバー３７０がベースプレート３２０に固定装着される。
【００８７】
これにより、ランプカバー３７０により拘束されるランプ３４０が固定され、スクリュのような別途の固定部材を用いなくても、容易に装着される。
【００８８】
また、水分により容易に破損するランプ３４０を、防水カバー４００が外部から取り囲むように、締付部３６０に挟着され、段差部４２０がカバー３４０により拘束され、上方向への脱去が防止されるようになる。
【００８９】
このように固定された防水カバー４００は、水分の直接的／間接的な浸透を遮断し、透明な材質で形成され、ランプ３４０の光を遮断せず、外部に透過可能にする。
【００９０】
また、防水カバー４００は、締付部３６０と凹凸構造をなすように型合わせされ、ランプ３４０の内側に浸透する湿気が、凹凸構造を通過するうちに遮断される。すなわち、防水カバー４００の内側、すなわち、ランプ３４０の内側に浸透する湿気は、凹凸構造を通過しながら、水滴に変わり、湿気が中間遮断される。
【００９１】
また、凹凸構造を通過した一部の湿気は、ランプ３４０の内側に突設された排水リブ３２４と接し、排水リブ３２４に凝集され、水滴に変わるようになる。このように凝集された水滴は、締付部３６０と排水リブ３２４により形成される排水流路３２３に沿って流れ、排水ホールと排水孔４４０により形成される通路から排水される。
【００９２】
また、使用者は、貯蔵室６００’にのみ貯蔵物Ｂを収納し、ドア２００で貯蔵室６００’の上面を遮蔽した後、第１のボタン５２０を押圧し、ランプ３４０（図２を基準にして左側に位置したランプ）のみを点灯させる。したがって、貯蔵物Ｂにのみ光が照射される状態を維持するようになる。同様に、貯蔵室６００にのみ貯蔵物Ｂが収納された場合は、使用者が第２のボタン５４０を押圧し、ランプ３４０（図２を基準にして右側に位置したランプ）のみを点灯させるようになる。
【００９３】
貯蔵室６００、６００’毎に、貯蔵物Ｂが収納された場合は、ボタン５２０、５４０を共に押圧して点灯させなければならないことは、言うまでもない。したがって、使用者は、貯蔵物Ｂが収納されていない貯蔵室６００の内部に光を照射しなくてもよいので、不要な電力を消耗することを防止するようになる。
【００９４】
また、図７ａおよび図７ｂに示すように、貯蔵物Ｂを貯蔵室６００の内側に収納し、ドア２００を閉鎖した後、本体１００に設けられる冷凍サイクルを作動させ、貯蔵室６００の内部を冷却するようになる。
【００９５】
この際、使用者は、飲食物を所望の状態で貯蔵するために、冷凍サイクルの作動を調節し、貯蔵室６００の内部の温度を調節する一方、ランプアセンブリ３００を作動させ、可視光線を貯蔵室６００の内側に照射するようになる。もちろん、ランプアセンブリ３００は、貯蔵室６００の側面に形成され、可視光線で照射することもできる。
【００９６】
次に、本発明による冷蔵庫用ランプアセンブリの第２の実施例について説明する。
【００９７】
第２の実施例の全般的な構成は、上述した第１の実施例の構成と殆ど同一である。したがって、以下では、図６ａ乃至図６ｃを参照して、第１の実施例と他の構成を中心に説明する。
【００９８】
図６ａを参照すると、貯蔵室６００の底面には、上方に突設されたスイッチが設けられている。
【００９９】
スイッチは、貯蔵室６００の中央を基準にして、前方に形成された第１のスイッチ７１０と、後方に形成された第２のスイッチ７２０とで構成され、略長方形状として貯蔵室６００の底面の大部分を占めるように形成される。
【０１００】
また、第１のスイッチ７１０は、第１のランプ３４０と連結され、荷重を受けると、下降するようになり、第１のランプ３４０の電力回路を連結させ、第１のランプ３４０を点灯させる。また、荷重が解放されると、再び元に戻され、第１のランプ３４０を消灯させる。これと同様に、第２のスイッチ７２０は、第２のランプ３４０’と連結され、同一の機能を行う。
【０１０１】
図６ｂを参照すると、貯蔵室６００の底面には、中央を基準にして前方に形成された第１の圧力センサ７３０と、後方に形成された第２の圧力センサ７４０とが設けられている。
【０１０２】
第１の圧力センサ７３０と第２の圧力センサ７４０は、ランプ３４０、３４０’の電力回路と連結され、荷重が感知されると、ランプ３４０、３４０’に信号を伝達し、ランプ３４０、３４０’が点灯されるようにし、荷重が感知されなければ、信号を伝達せず、ランプが点灯されないようにする。
【０１０３】
図６ｃを参照すると、貯蔵室６００の前面の下側には、第１の近接センサ７５０が設けられ、貯蔵室６００の後面の下側には、第２の近接センサ７６０が設けられている。
【０１０４】
第１の近接センサ７５０と第２の近接センサ７６０は、ランプ３４０、３４０’の電力回路と連結され、センサの感知部と隣接した物体、すなわち、貯蔵室６００の内部に収納される貯蔵物６００を感知し、ランプ３４０、３４０’の電力回路に信号を伝達することにより、ランプ３４０、３４０’が点灯されるようにする。
【０１０５】
次に、本発明による冷蔵庫の照明装置の制御方法の第１の実施例を検討する。
【０１０６】
図８は、本発明に係る制御方法の第１の実施例による冷蔵庫の照明装置のブロック構成図であり、図９は、図８により、ドアの開閉に応じたランプの駆動状態を示すタイミング図である。
【０１０７】
これらに図示するように、冷蔵庫のドア１０が開放されなかったとき、冷蔵庫内の貯蔵室に保管された食品６０を照射するように、ドア１０の一面に一つ以上のＬＥＤランプ５０、５２、５４が設けられている。ＬＥＤランプ５０、５２、５４は、食品６０の種類に応じて異なる色相を照射するＬＥＤランプであり、冷蔵庫の貯蔵室の容量に応じて同一の色相を有するＬＥＤランプが複数個装着されてもよい。本発明では、貯蔵室に貯蔵される食品６０である野菜、果物、キムチの種類に応じて、新鮮度が維持される最適な赤色ＬＥＤランプ５、緑色ＬＥＤランプ６、黄色ＬＥＤランプ７が対応して提供される。
【０１０８】
ドア１０の開閉を感知する感知部２０が設けられ、感知部２０の感知信号に応じて、ＬＥＤランプ５０、５２、５４のオン／オフ駆動を断続するためのスイッチ４０が設けられる。スイッチ４０は、各ＬＥＤランプ５０、５２、５４を全体的に制御するように設けられ、または、図示してはいないが、複数のＬＥＤランプ毎にそれぞれオン／オフするためのスイッチが提供されてもよい。
【０１０９】
また、感知信号を供給され、スイッチ４０をオン／オフ制御する制御部３０が設けられている。制御部３０の制御動作により、スイッチ４０が開閉されるので、スイッチ４０は、基本的に制御信号により開閉される物理的なスイッチ、継電器、トランジスタ（ＴＲ）等、多様なスイッチング素子が適用され得る。
【０１１０】
ＬＥＤランプ５０、５２、５４の正常動作の有無を、ドア１０が閉鎖されたときも、外部から確認可能に、動作ランプ（図示せず）が、冷蔵庫の外部の所定の箇所に装着される。装着位置は、使用者が容易に確認可能な部分であればよい。
【０１１１】
次いで、このような構成を有する本発明に係る冷蔵庫の照明装置の制御方法の第１の実施例の作用について詳述する。
【０１１２】
冷蔵庫の電力の供給により、全般の冷蔵庫の機能が行われると共に、ドア１０が開放されていない状態であれば、貯蔵室と対応して、ドア１０の内側に設けられた複数のＬＥＤランプ５０、５２、５４も動作される（図９のＡ、Ｃ、Ｅ部分）。ＬＥＤランプ５０、５２、５４の動作は、制御部３０の制御動作により、スイッチ４０がオンの状態で実施される。
【０１１３】
貯蔵室に貯蔵された食品６０の種類に応じて、それぞれ対応して設けられたＬＥＤランプ５０、５２、５４が動作すると、そのＬＥＤランプ５０、５２、５４から直接照射される光源により、食品６０の新鮮度を維持することができるようになる。前述のように、ＬＥＤランプ５０、５２、５４は、食品６０の種類に応じて、異なる色相を有して光を照射するので、その食品６０毎に新鮮度を最適に維持させることができる。
【０１１４】
冷蔵庫のドアが開放される（図９のＢ’、Ｄ’時点）。すると、感知部２０は、ドア１０の開放を感知し、感知信号を制御部３０に供給する。制御部３０は、感知信号に応じて、ＬＥＤランプ５０、５２、５４と連結されたスイッチ４０をオフさせる。
【０１１５】
スイッチ４０のオフにより、電力供給が中断されると、ＬＥＤランプ５０、５２、５４もオフされ、光の照射が中断される（図９のＢ及びＤ部分）。すなわち、使用者がドア１０を開放すると、これを感知し、ＬＥＤランプ５０、５２、５４の駆動を中止させるので、ＬＥＤランプ５０、５２、５４から照射される光が使用者の目に直接照射されることを、当初から防止するようになる。
【０１１６】
この場合、スイッチ４０は、全てのＬＥＤランプ５０、５２、５４と連結されている状態であり、そのスイッチ４０のオフにより、全てのＬＥＤランプ５０、５２、５４をオフさせるようになる。若し、複数個のＬＥＤランプ５０、５２、５４に対して、それぞれスイッチが設けられた状態である場合は、選択的にＬＥＤランプ５０、５２、５４のオン／オフを制御することができる。すなわち、ドア１０を開放したとき、使用者の目に直接照射し難い位置に設けられたＬＥＤランプは、継続して動作させることもできる。ドア１０と本体部を連結するヒンジ部側に設けられたＬＥＤランプは、ドア１０を開放しても使用者の目に及ぼす影響が小さいので、その該当するＬＥＤランプを継続して駆動させることもできることが好ましい。
【０１１７】
このような第１の実施例によると、ドア１０が開放されてさえいれば、ＬＥＤランプ５０、５２、５４に供給される電力を遮断して光が照射されないので、フリッカ現象を除去することができる。
【０１１８】
次に、本発明に係る冷蔵庫の照明装置の制御方法の第２の実施例について検討する。
【０１１９】
図１０は、本発明に係る制御方法の第２の実施例による冷蔵庫の照明装置のブロック構成図であり、図１１は、図１０により、ドアの開閉に応じたランプの駆動状態を示すタイミング図である。
【０１２０】
これらに図示するように、ドア１０の開放時、ＬＥＤランプ５０、５２、５４の光源の強さを徐々に減少させるディマーモジュール７０が設けられる。すなわち、第１の実施例のスイッチ手段の代わりにディマー回路が設けられたディマーモジュール７０が提供されるものである。ディマーモジュール７０は、第１の実施例のように、それぞれのＬＥＤランプ５０、５２、５４の光の強さを制御するように個別に設けられても、または、全てのＬＥＤランプ５０、５２、５４の光の強さを制御するように、一つのディマーモジュールのみが設けられてもよい。それ以外に、ＬＥＤランプ５０、５２、５４にディマー回路が一体に設けられ、光の強さを調節することもできる。
【０１２１】
また、ドア１０の開放を感知する感知部２０の感知信号に応じてディマーモジュール７０を制御し、ＬＥＤランプ５０、５２、５４の光の強さを調節する制御部３０の構造は、第１の実施例と類似している。
【０１２２】
次いで、本発明に係る冷蔵庫の照明装置の制御方法の第２の実施例の作用について詳述する。
【０１２３】
冷蔵庫の電力の供給により、全般の冷蔵庫の機能が行われると共に、貯蔵室と対応して、ドア１０の内側に設けられた複数のＬＥＤランプ５０、５２、５４も動作する（図１１のＦ、Ｈ、Ｊ部分）。ＬＥＤランプ５０、５２、５４の動作は、ドア１０が開放されていない状態であるとき、正常に動作する。したがって、貯蔵室に貯蔵された食品６０の種類別にそれぞれ対応して設けられたＬＥＤランプ５０、５２、５４が動作するようになり、そのＬＥＤランプ５０、５２、５４から直接照射される光により、食品６０の新鮮度を維持することができるようになる。
【０１２４】
冷蔵庫のドアが開放される（図１１のＧ’、Ｉ’時点）。すると、感知部２０は、冷蔵庫のドア８の開放を感知し、感知信号を制御部３０に供給する。制御部３０は、感知信号に応じて、ディマーモジュール７０をオン駆動させる。ディマーモジュール７０がオン駆動されると、ＬＥＤランプ５０、５２、５４の光の強さが徐々に減少するようになる。すなわち、ディマーモジュール７０は、ドア１０の開放の際に制御部３０の制御動作により、ＬＥＤランプ５０、５２、５４に供給される電力を減少させ、実質的に光の強さを調節するものである。この際、光の強さが減少されるＧおよびＩ部分は、ほぼドア１０の開放された時間に応じて比例して減少され、ドア１０の開放が長時間継続する場合は、光の強さが徐々に減少され、オフ状態となり得る。もちろん、ドア１０が継続して開放されていても、光の強さが一定のレベル以下とならないように制御することができる。
【０１２５】
ここで、ディマーモジュール７０は、ドア１０の開放が感知される時点で、抵抗の強さを増加させ、電力の供給を調節するように、多様な方式が適用される。
【０１２６】
一旦、ドア１０の開放と共に、制御部３０の動作により動作するディマーモジュール７０により、光の強さが減少するように調節されると、使用者が直接感じるフリッカ現象を除去することができる。
【０１２７】
また、再びドア１０が閉鎖されると（図１１のＨ’、Ｊ’時点）、制御部３０は、感知部３０から感知信号を供給され、電力を再供給し、ＬＥＤランプ５０、５２、５４を正常にオン駆動する。
【０１２８】
ここで、第１の実施例と同様に、ディマーモジュール７０も、ＬＥＤランプの個数に比例して装着することができ、ドア１０を開放したとき、使用者の目に直接照射し難い位置に設けられたＬＥＤランプの光の強さの減少量を、他のＬＥＤランプの光の減少量よりも差を小さくすることができる。
【０１２９】
このような第２の実施例によると、冷蔵庫のドアが開放されても、ＬＥＤランプの光の強さが減少するので、使用者の目を保護することができる。
【０１３０】
次に、本発明に係る冷蔵庫の照明装置の制御方法の第３の実施例について検討する。
【０１３１】
長期間冷蔵保管される飲食物（キムチ、野菜／果物）は、一定の照度以上の光が照射される場合、酸性度が低下（酸性化が防止）され、新鮮度が維持される期間が延長される。例えば、キムチまたは野菜／果物は、７５ｌｘ以上の光が照射される場合、従来の冷蔵保管期間の２倍以上に延長が可能である。また、キムチの発酵動作では、１１５ｌｘ以上の光が照射される場合も、保管期間を延長することができる。
【０１３２】
ここに、本発明は、冷蔵室のドアに固有の照度を有する異なる色相のランプを設置し、飲食物の種類および冷蔵方式に応じて、ランプを選択的に駆動し、冷蔵室の内部に光を照射することに留意しなければならない。
【０１３３】
図１２は、本発明に係る制御方法の第３の実施例による冷蔵庫の照明装置の制御方法を段階別に説明する流れ図であり、図１３は、図１２に示す制御方法により、ランプが点灯された状態を示す例示図である。本実施例は、図１０の制御部３０により行われる。
【０１３４】
これらに図示するように、図１２のステップ１０（Ｓ１０）において、飲食物が冷蔵庫の内部に投入される。次いで、ステップ１２（Ｓ１２）において、制御部３０は、入力および表示部１０を通じて、使用者から投入された飲食物の種類および冷蔵方式を選択される。本実施例では、便宜上、冷蔵保管を要する飲食物が投入される場合を用いて説明する。
【０１３５】
また、ステップ１４（Ｓ１４）において、制御部３０は、ステップ１２（Ｓ１２）で選択された飲食物の種類および冷蔵方式が、野菜／果物またはキムチの冷蔵保管が選択された場合、制御部３０は、黄色および白色ＬＥＤランプと連結されるスイッチをターンオンさせ、緑色ＬＥＤランプと連結されるスイッチは、ターンオフさせる。これにより、図１３に示すように、黄色および白色ＬＥＤランプが点灯される。ここに、投入された野菜／果物またはキムチには、黄色および白色の光が照射され、冷蔵庫の内部の照度が７５ｌｘ以上を維持するようになる（Ｓ１５）。
【０１３６】
これに対して、ステップ１６（Ｓ１６）において、制御部３０は、ステップ１２（Ｓ１２）でキムチの発酵動作が選択された場合、制御部３０は、緑色および白色ＬＥＤランプと連結されたスイッチをターンオンさせ、黄色ＬＥＤランプと連結されたスイッチをターンオフさせる。これにより、図１３に示すように、緑色および白色ＬＥＤランプが点灯される。これにより、冷蔵庫の内部には、緑色および白色の光が照射され、冷蔵庫の内部の照度が１１５ｌｘ以上を維持するようになる（Ｓ１７）。
【０１３７】
また、ステップ１５（Ｓ１５）およびステップ１７（Ｓ１７）において、ＬＥＤランプから照射される光は、反射板により多様な角度に反射され分散される（Ｓ２０）。
【０１３８】
これに加えて、ステップ１８（Ｓ１８）において、制御部３０は、ステップ１２（Ｓ１２）で選択された飲食物が、光を照射して新鮮度を維持することができる飲食物ではない場合、全てのＬＥＤランプを消灯する（Ｓ１９）。この際、制御部３０は、冷蔵庫のドアが開放される場合にのみ、ＬＥＤランプを点灯し、照明機能を行うようにすることが好ましい。
【０１３９】
上記した過程を通じて、本発明の実施例による冷蔵庫用ランプ構造およびランプ制御装置は、投入される飲食物の種類および冷蔵方式に応じて、ランプを選択的に点灯し、予め設定された照度以上の光を照射し、ランプから照射された光を多様な角度に反射して分散させる。
【０１４０】
上述したような本発明に係る冷蔵庫の照明装置およびそれを用いた制御方法は、以下のような効果を有する。
【０１４１】
先ず、本発明によると、ランプを固定させるためのスクリュのような別途の固定部材が用いられず、ランプ装着部にランプを挟着させることにより、作業工程が簡素となり、結合が容易であり、固定部材を用いて装着するときに発生し得る回転トルクによる基板の破損が防止されるという効果がある。
【０１４２】
また、防水カバーにより水分がランプに直接浸透されることが防止される利点がある。すなわち、上記のように、ランプの破損および使用者の感電事故が防止され、品質に対する消費者の満足度と製品認知度が上昇するという効果がある。
【０１４３】
また、貯蔵室の内部に収納される貯蔵物の位置に応じて、ランプが点灯され、不要なランプの使用を防止し、エネルギの効率が増大するという効果がある。すなわち、上記のように、エネルギ効率が増大し、空間活用的な側面が向上することにより、消費者の製品満足度が上昇し、製品に対する信頼度が向上するという効果がある。
【０１４４】
また、照明装置において調合されて照射される可視光線により、キムチの発酵の程度を調節し、早期に熟成させることができるのみならず、長期間、使用者が所望する美味しい味を維持可能になることにより、冷蔵庫の発酵および貯蔵性能の向上を期待することができるという効果がある。
【０１４５】
さらに、冷蔵庫のドアの開放の際にＬＥＤランプが使用者の目に直接照射されることを予防することができ、使用者のフリッカ現象を除去または最小化することができるという効果がある。これと共に、冷蔵庫のドアが開放されたときは、ＬＥＤランプがオフされるので、電力量の浪費を最小化することができるという効果もある。
【０１４６】
また、本発明は、飲食物の種類および冷蔵方式に応じて、異なる色相のランプを駆動し、予め設定された照度以上の光を飲食物に照射する。これにより、本発明は、ランプから照射される光で飲食物の酸性化を防止し、新鮮度を維持することにより、保管期間を延長することができるという効果がある。
【０１４７】
上述され、図示された本発明の一実施の形態は、本発明の技術的思想を限定するものとして解釈されてはならない。本発明の保護範囲は、請求の範囲に記載された事項のみにより制限され、本発明の技術の分野における通常の知識を有する者は、本発明の技術的思想を様々な形態に改良・変更することが可能である。したがって、このような改良および変更は、通常の知識を有する者にとって自明なものである限り、本発明の保護範囲に属するようになるだろう。
【図面の簡単な説明】
【０１４８】
【図１】図１は、本発明に係る冷蔵庫の照明装置が採用された冷蔵庫の外観を示す斜視図である。
【図２】図２は、本発明に係る冷蔵庫の照明装置の主要構成要素であるランプアセンブリの構造を示す分解斜視図である。
【図３】図３は、本発明の実施例を構成する防水カバーの外観を示す斜視図である。
【図４】図４は、本発明の実施例を構成する防水カバーの装着状態を示す断面図である。
【図５】図５は、本発明に係る冷蔵庫の照明装置の主要構成要素であるランプアセンブリの部分切開斜視図である。
【図６ａ】図６ａは、本発明に係る冷蔵庫の照明装置の他の実施例を示す断面図である。
【図６ｂ】図６ｂは、本発明に係る冷蔵庫の照明装置の他の実施例を示す断面図である。
【図６ｃ】図６ｃは、本発明に係る冷蔵庫の照明装置の他の実施例を示す断面図である。
【図７ａ】図７ａは、本発明に係る冷蔵庫の照明装置の作動状態を示す断面図である。
【図７ｂ】図７ｂは、本発明に係る冷蔵庫の照明装置の作動状態を示す断面図である。
【図８】図８は、本発明に係る制御方法の第１の実施例による冷蔵庫の照明装置のブロック構成図である。
【図９】図９は、図８により、ドアの開閉に応じたランプの駆動状態を示すタイミング図である。
【図１０】図１０は、本発明に係る制御方法の第２の実施例による冷蔵庫の照明装置のブロック構成図である。
【図１１】図１１は、図１０により、ドアの開閉に応じたランプの駆動状態を示すタイミング図である。
【図１２】図１２は、本発明に係る制御方法の第３の実施例による冷蔵庫の照明装置の制御方法を段階別に説明する流れ図である。
【図１３】図１３は、図１２に示す制御方法によりランプが点灯された状態を示す例示図である。
【符号の説明】
【０１４９】
１００    本体
１２０    ヒンジ
２００    ドア
２２０    ドアライナ
３００    ランプアセンブリ
５００    操作パネル
５２０    第１のボタン
５４０    第２のボタン
６００    貯蔵室
６００’    貯蔵室
【図１】
0005128846.tif 000002
【図２】
0005128846.tif 000003
【図３】
0005128846.tif 000004
【図４】
0005128846.tif 000005
【図５】
0005128846.tif 000006
【図６ａ】
0005128846.tif 000007
【図６ｂ】
0005128846.tif 000008
【図６ｃ】
0005128846.tif 000009
【図７ａ】
0005128846.tif 000010
【図７ｂ】
0005128846.tif 000011
【図８】
0005128846.tif 000012
【図９】
0005128846.tif 000013
【図１０】
0005128846.tif 000014
【図１１】
0005128846.tif 000015
【図１２】
0005128846.tif 000016
【図１３】
0005128846.tif 000017